(57)【要約】      （修正有）【課題】容器本体に対する水晶片の固着強度を高めた表面実装用の水晶デバイスを提供する。【解決手段】両主面の励振電極６ａ1、６ａ2から引出電極６ｂ1、６ｂ2の延出した水晶片２の外周部をベース内底面の水晶端子に導電性接着剤によって固着してなる表面実装用の水晶デバイスにおいて、水晶片２の引出電極６ｂ1、６ｂ2は励振電極６ａ1、６ａ2の形成された主面と同一面のみに形成され、引出電極６ｂ1、６ｂ2の延出した外周部には水晶の下地が露出した貫通孔９又は端面に切り欠きが設けられて、水晶片２の固着面となる下面の導電性接着剤は貫通孔９又は前記切り欠きを経て、前記下面から反対面となる上面にかけて塗付された構成とする。【選択図】図１
2009105776.tif 000002
【特許請求の範囲】
【請求項１】
両主面の励振電極から引出電極の延出した水晶片の外周部を容器本体の内底面に設けた水晶端子に導電性接着剤によって固着してなる表面実装用の水晶振動子において、前記引出電極の延出した外周部には水晶の下地が露出した貫通孔又は側面に切り欠きが設けられて、前記水晶片の固着面となる下面の導電性接着剤は前記貫通孔又は前記切り欠きを経て、前記下面から反対面となる上面にかけて塗付されたことを特徴とする表面実装用の水晶デバイス。
【請求項２】
請求項１において、前記両主面の励振電極から延出した引出電極は、前記励振電極の形成された主面と同一主面のみに形成された表面実装用の水晶デバイス。
【発明の詳細な説明】
【技術分野】
【０００１】
本発明は表面実装用の水晶デバイス例えば水晶振動子（以下、表面実装振動子とする）を技術分野とし、特に低背化に適して固着強度を高めた表面実装デバイスに関する。
【背景技術】
【０００２】
（発明の背景）
表面実装振動子は小型・軽量であることから、携帯電話に代表される携帯型の電子機器に周波数や時間の基準源として発振回路とともに内蔵される。近年では、例えば高さ寸法を０．４ｍｍ以下として低背化を含めた小型化（平面外形が3.2×2.5ｍｍ以下）が進行する中、これらに対応した設計が求められている。
【０００３】
（従来技術の一例）
第４図は一従来例を説明する図で、同図（ａ）は表面実装振動子の断面図、同図（ｂ）は○印で示す部分の一部拡大断面図平面図、同図（ｃ）は水晶片の平面図である。
【０００４】
表面実装振動子は積層セラミックからなる凹状とした平面視で矩形状の容器本体１に水晶片２を収容する。容器本体１の内底面には長さ方向の一端部両側に図示しない水晶端子３を有し、積層面を経て例えば一組の対角部に外部端子４として延出する。そして、容器本体１の開口端面には例えばシーム溶接による金属カバー５を接合して水晶片２を密閉封入する。
【０００５】
容器本体１の他組の対角部には金属カバー５と電気的に接続したアース端子としての外部端子４を有する。水晶片２は両主面に励振電極６ａ1、６ａ2を有し、一端部両側に引出電極６ｂ1、６ｂ2を延出する。一端部両側の引出電極６ｂは内周面に電極を有する電極貫通孔７を経てそれぞれ反対面に延出する。
【０００６】
引出電極６ｂの延出した水晶片２の一主面における一端部両側は、水晶端子３上に塗付された導電性接着剤８に当接して押圧される。そして、導電性接着剤８を電極貫通孔７内に流入（充填）する。これにより、水晶片２の固着面である下面のみならず、電極貫通孔内にも導電性接着剤８が付着するので、固着強度を高められる。また、導電性接着剤８を下面のみとするので、低背化を促進する。
【特許文献１】特開２００４−１７３０５０号公報
【発明の開示】
【発明が解決しようとする課題】
【０００７】
（従来技術の問題点）
しかしながら、上記構成の表面実装振動子では、水晶片２の一端部両側には電極貫通孔７を設けて引出電極６ｂを反対面にも形成する。そして、水晶片２の固着面（下面）のみならず、導電性接着剤８を電極貫通孔７に流入して固着強度を高める。しかし、固着面（下面）及び電極貫通孔内の導電性接着剤８はいずれも引出電極６ｂ（Ａｕ）との接着となるので、固着強度が低下する問題があった。
【０００８】
（発明の目的）
本発明は容器本体に対する水晶片の固着強度を高めた表面実装デバイスを提供することを目的とする。
【課題を解決するための手段】
【０００９】
本発明は、特許請求の範囲（請求項１）に示したように、両主面の励振電極から引出電極の延出した水晶片の外周部を容器本体の内底面に設けた水晶端子に導電性接着剤によって固着してなる表面実装用の水晶振動子において、前記引出電極の延出した外周部には水晶の下地が露出した貫通孔又は端面に切り欠きが設けられて、前記水晶片の固着面となる下面の導電性接着剤は前記貫通孔又は前記切り欠きを経て、前記下面から反対面となる上面にかけて塗付された構成とする。
【発明の効果】
【００１０】
このような構成であれば、導電性接着剤は水晶片の下面のみならず、水晶片の貫通孔及び上面にかけて塗布される。また、貫通孔は水晶の下地を露出するので、導電性接着剤との接合強度を高める。
【００１１】
（実施態様項）
本発明の請求項２では、請求項１において、前記両主面の励振電極から延出した引出電極は、前記励振電極の形成された主面と同一主面のみに形成される。これにより、導電性接着剤によって水晶端子に接続する水晶片の下面における一端部両側のいずれか一方は、水晶片の下地が露出して固着される。また、貫通孔を経て水晶片の上面における一端部両側に塗布される導電性接着剤のいずれか一方は、水晶片の下地が露出して固着される。したがって、水晶片との固着強度を高められる。
【発明を実施するための最良の形態】
【００１２】
第１図及び第２図は本発明の一実施形態を説明する図で、第１図は水晶片の平面図、第２図は表面実装振動子の一部拡大断面図である。なお、前従来例と同一部分には同番号を付与してその説明は簡略又は省略する。
【００１３】
表面実装振動子は、前述したように、外部端子４を外底面に有する容器本体１に水晶片２を収容して金属カバー５を被せて密閉封入する。水晶片２は励振電極６ａから一端部両側に延出した引出電極６ｂが、容器本体１の内底面に設けられた水晶端子３に導電性接着剤８によって固着される（前第４図参照）。
【００１４】
この実施形態では、水晶片２の引出電極６ｂ1、６ｂ2は励振電極６ａ1、６ｂ2の形成された主面と同一面のみに形成される。そして、引出電極６ｂ1、６ｂ2の延出した一端部両側にはエッチング等によって貫通孔９が設けられる。貫通孔９の内周面は水晶の下地が露出して無電極とする。
【００１５】
このようなものでは、先ず、容器本体１の内底面に設けた水晶端子３に導電性接着剤８を塗付する。そして、引出電極６ｂ1、６ｂ2の延出した水晶片２における一端部両側の一主面を導電性接着剤８に当接して押圧する。これにより、固着面となる水晶片２の下面から、貫通孔９を経て、これとは反対面の上面に押し上がる。したがって、導電性接着剤８は貫通孔９を経て水晶片２の下面から上面にかけて塗布される。なお、導電性接着剤８は水晶片２の外周側面にも押し上がる。
【００１６】
これらの場合、第２図（ａ）に示したように、水晶片２の固着面となる下面における一端部両側の一方では、導電性接着剤８は引出電極６ｂ１に塗布される。そして、水晶片２の下面から貫通孔９を経た導電性接着剤８は、上面の水晶が露出した下地に塗布される。
【００１７】
また、第２図（ｂ）に示したように、水晶片２の固着面となる下面における一端部両側の他方では、導電性接着剤８は水晶が露出した下地に塗布される。そして、水晶片２の下面から貫通孔９を経た導電性接着剤８は、上面の引出電極６ｂ2に塗布される。
【００１８】
このような構成であれば、水晶片２の一端部両側に設けた貫通孔９を経て、導電性接着剤８は水晶片２の上面にも塗付される。そして、一端部両側に設けた貫通孔９は水晶の下地を露出して、導電性接着剤８が塗付されるので、内周面に電極（Ａｕ）を設けた場合よりも固着強度を高める。
【００１９】
また、水晶片２における一端部両側の引出電極６ｂは、励振電極６ａが形成された主面と同一面のみに形成される。したがって、水晶片２の一端部両側における下面のいずれか一方では導電性接着剤８が水晶の下地に固着する。また、一端部両側に設けた貫通孔のいずれか一方は導電性接着剤８が水晶の下地に固着する。したがって、水晶片２の一端部両側における導電性接着剤８と水晶片２との固着強度を高められる。
【００２０】
（他の事項）
上記実施形態では、水晶片２の一端部両側の貫通孔９を経て上面にも導電性接着剤８を塗付したが、例えば貫通孔９を経た水晶片２の上面から水晶片２の外周側面にかけて塗付し、外周側面の導電性接着剤８と合体させてもよい。この場合、固着強度をさらに増す。
【００２１】
また、貫通孔９に代えて例えば円弧状の切欠部９ａを外周に設けても同様の効果を期待できる。但し、導電性接着剤８が水晶片２の上面に回り込むように、水晶片２を傾斜させた状態で導電性接着剤８を押圧する。これらの場合、上記の実施形態も含めて、導電性接着剤８の水晶片２の上面への這い上がる量は少ないので、例えば水晶片２の上面から導電性接着剤８を塗付する場合に比較して低背化は維持できる。
【００２２】
また、表面実装デバイスは表面実装振動子として説明したが、例えばＩＣチップと水晶片とを同一容器内に収容した場合でも同様に適用できる。そして、引出電極６ｂ1、６ｂ2は水晶片２の一端部両側に延出したが、例えば水晶片２の両端部に延出した場合でも同様に適用できる。
【００２３】
また、容器本体１は凹状としたが、容器本体１を平板状として凹状のカバーを被せた場合でも同様に適用できる。要するに、ここでの容器本体２は外部端子２を外底面に有して、水晶片２の引出電極が固着される水晶端子３を内底面に有していればよい。
【図面の簡単な説明】
【００２４】
【図１】本発明の一実施形態を説明する水晶片の平面図である。
【図２】本発明の一実施形態を説明する表面実装振動子の一部拡大断面図である。
【図３】本発明の他の例を説明する水晶片の平面図である。
【図４】一従来例を説明する図で、同図（ａ）は表面実装振動子の断面図、同図（ｂ）は○印で示す部分の一部拡大断面図平面図、同図（ｃ）は水晶片の平面図である。
【符号の説明】
【００２５】
１  容器本体、２  水晶片、３  水晶端子、４  外部端子、５  金属カバー、６  励振及び引出電極、７  電極貫通孔、８  導電性接着剤、９  貫通孔、９ａ  切欠部。
【図１】
2009105776.tif 000003
【図３】
2009105776.tif 000004
【図２】
2009105776.tif 000005
【図４】
2009105776.tif 000006